(57)【特許請求の範囲】
【請求項１】
一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、
上記両カムのうち一方のカムが付勢手段から構成され、該付勢手段の基端部が支持部材に支持され、この付勢手段の先端が、上記支持部材に対向する他方のカムを貫通して、この他方のカムのカム面に係合されていることにより、この付勢手段が他方のカムのカム面に押し付けられたことを特徴とするヒンジ装置。
【請求項２】
一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、
上記両カムのうち一方のカムが付勢手段から構成され、該付勢手段が支持部材の軸部に設けられ、この付勢手段の先端が、上記支持部材に対向する他方のカムのカム面に押し付けられたことを特徴とするヒンジ装置。
【請求項３】
一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、
上記両カムのうち一方のカムが付勢手段から構成され、該付勢手段が支持部材の軸部の内部に設けられ、この付勢手段が、上記支持部材に対向する他方のカムのカム面に押し付けられたことを特徴とするヒンジ装置。
【発明の詳細な説明】
【０００１】
【発明の属する技術分野】
本発明は、携帯電話、電子手帳等の携帯用品に用いられるヒンジ装置に関するものである。
【０００２】
【従来の技術】
近年のエレクトロニクス技術の発展にともない、キーパネルや液晶画面等を備えた携帯電話や電子手帳等の各種の携帯用機器が開発され、広く実用に供されてきている。これらの機器においては、使用に際して使いやすい大きさが確保されるとともに、携帯に際してコンパクトな形状になり、かつ鞄やポケットの中で、誤ってキーパネルを押してしまったり、液晶画面を傷つけてしまったりすることがないように、２つの部材を開閉可能とする２つ折り形式の構造が採用されている。
例えば、携帯電話においては、操作キーを一面に配置した本体部材と、該本体部材に回動可能に連結されて、携帯に際して操作キーを被う位置に折り畳まれる一方、使用に際して開かれた位置に配されてキー操作を可能としかつ集音部材として機能する送話部のような開閉部材とからなる２つ折り形式のものがある。また、電子手帳においては、操作キーを配置した本体部材とこれに対して開閉される液晶表示部のような開閉部材とからなる２つ折り形式のものがある。
ところで、従来から、このような２つ折り形式の携帯用品においては、本体部材と開閉部材とを開閉自在に連結するためにヒンジ装置が用いられている。そして、このヒンジ装置としては、例えば、一対のカムが、互いの軸線を一致させて、相対回転可能にかつ互いに接近、離間可能に設けられ、これらのカムのカム面が付勢手段によって互いに密接するように付勢されるとともに、一方のカムが軸部に回転自在に設けられ、かつ他方のカムがこの軸部にその軸線に沿って移動自在に設けられたものが知られている。
【０００３】
【発明が解決しようとする課題】
しかしながら、上記従来のヒンジ装置にあっては、一対のカムと軸部と付勢手段とが必要になるために、部品点数が多くなり、組み付けるのに手間がかかるとともに構造が複雑化するという問題がある。
本発明は、上記事情に鑑みてなされたもので、その目的とするところは、付勢手段を一方のカムとして兼用することにより、部品点数を削減することができ、かつ容易に組み付けることができるとともに、構造を簡素化することができるヒンジ装置を提供することにある。
【０００４】
【課題を解決するための手段】
本発明の請求項１は、一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、上記両カムのうち一方のカムが付勢手段から構成され、該付勢手段の基端部が支持部材に支持され、この付勢手段の先端が、上記支持部材に対向する他方のカムを貫通して、この他方のカムのカム面に係合されていることにより、この付勢手段が他方のカムのカム面に押し付けられたものである。
本発明の請求項２は、一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、上記両カムのうち一方のカムが付勢手段から構成され、該付勢手段が支持部材の軸部に設けられ、この付勢手段の先端が、上記支持部材に対向する他方のカムのカム面に押し付けられたものである。
本発明の請求項３は、一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、上記両カムのうち一方のカムが付勢手段から構成され、該付勢手段が支持部材の軸部の内部に設けられ、この付勢手段が、上記支持部材に対向する他方のカムのカム面に押し付けられたものである。
【０００５】
【発明の実施の形態】
以下、図面に基づいて本発明の実施の形態を説明する。
図１は本発明の第１の実施の形態を示す断面図、図２は図１の右側面図、図３は図１の左側面図、図４は図１のＩＶ−ＩＶ線に沿った断面図である。
これらの図において符号１０はバネ部材（付勢手段）である。このバネ部材１０は、丸棒状の線材を折曲して形成したものであり、このバネ部材１０の基端部１００はループ状に湾曲しており、かつバネ部材１０の先端１０１は直角方向に折曲している。また、上記バネ部材１０のループ状に湾曲した基端部１００には、第４図に示すように、一対の構成部材１１０、１１１からなる略円柱状の支持部材１１が、一方の構成部材１１０の円柱状の突起１１２を上記基端部１００内に挿通しかつこの突起１１２を他方の構成部材１１１の穴部１１３にはめ込んだ状態で設けられている。
さらに、上記バネ部材１０の先端１０１側は、略円盤状のカム１３の中心孔１３０を挿通し、このカム１３の表面（カム面）１３１のカム溝１３２に係合するようになっている。このカム溝１３２は中心孔１３０を挟んで直線状に形成されている。なお、上記カム１３の中心孔１３０は、まず、カム１３に中心孔１３０に沿った深溝１３４を形成し、上記バネ部材１０の先端１０１側を装着した後、上記中心孔１３０を残した状態で、この深溝１３４を閉塞部材１３６によって埋め戻して形成されたものである。
上記カム１３の裏面側（支持部材１１側）には、円形の凹部１３３が形成されており、この凹部１３３には、上記支持部材１１に形成された凸部１１４がはめ込まれている。さらにまた、上記支持部材１１及びカム１３の外周面には、それらの軸線に対して対称な位置に浅溝１１５、１３５がそれぞれ形成されている。
【０００６】
上記のように構成されたヒンジ装置において、支持部材１１に対して、カム１３をその軸線まわりに回転させると、それまでカム１３のカム溝１３２にはまりこんでいたバネ部材１０の先端１０１が、上記カム１３のカム面１３１から離れる方向に弾性変形し、カム溝１３２から飛び出す。この結果、カム１３のカム溝１３２とバネ部材１０の先端１０１との係合状態が解除されるから、上記カム１３は、該カム１３を支持部材１１に対して押し付ける上記バネ部材１０の付勢力に抗しながら円滑に回転する。そして、カム１３が１８０度回転すると、上記バネ部材１０の先端１０１が再度カム１３のカム溝１３２にはまり込んで、カム１３とバネ部材１０とが係合される。これにより、このヒンジ装置を組み込んだ携帯用品において、円滑にかつ確実に開閉部材の開閉操作を行うことができる。
【０００７】
また、図５と図６は本発明の第２の実施の形態を示すもので、図５は正面図、図６は図５のＶＩ−ＶＩ線に沿った断面図である。
図中符号２０は支持部材であり、この支持部材２０の頭部２００は固定側部材１に取り付けられている。そして、支持部材２０の軸部２０１には、先端側から中間部にかけて深溝２０２が形成されており、この深溝２０２に先端直線部２１０がはまりこんだ状態で、コイル状の圧縮バネ（付勢手段）２１が上記軸部２０１に装着されている。また、上記軸部２０１には、可動側部材２に取り付けられたカム２２が回転自在に装着されており、このカム２２の両端面（カム面）２２０には直線状のカム溝２２１が形成されている。さらに、上記軸部２０１には上記圧縮バネ２１と同様の構成の圧縮バネ２１が装着されており、左右一対の圧縮バネ２１がカム２２を挟み込んだ状態で、それらの先端直線部２１０がカム溝２２１にはまり込むことにより、カム２２と両圧縮バネ２１とが係合するようになっている。さらに、上記軸部２０１の先端には固定部材２０３が取り付けられており、この固定部材２０３は、可動側部材２内においてフリー（遊嵌）状態とされている。
【０００８】
上記のように構成されたヒンジ装置において、可動側部材２を固定側部材１に対して開閉させると、それにともないカム２２がその軸線まわりに回転し、圧縮バネ２１を退縮させることにより、それまでカム２２のカム溝２２１にはまりこんでいた圧縮バネ２１の先端直線部２１０をカム溝２２１から押し出す。この結果、カム２２のカム溝２２１と圧縮バネ２１の先端直線部２１０との係合状態が解除されるから、上記カム２２は、該カム２２の両カム面２２０を押圧する上記圧縮バネ２１の付勢力に抗しながら円滑に回転する。そして、カム２２が１８０度回転すると、上記圧縮バネ２１が伸長してその先端直線部２１０が再度カム２２のカム溝２２１にはまり込んで、カム２２と圧縮バネ２１とが係合される。これにより、可動側部材２の開閉操作が円滑にかつ確実に行われる。
【０００９】
また、図７は本発明の第３の実施の形態を示す正面図である。この実施の形態は、上記第２の実施の形態において、軸部２０１の先端側の圧縮バネ２１と固定部材２０３を取り除いたものであり、その他の構成は上記第２の実施の形態と同様なので同符号を付けて説明を省略する。
このように構成されたヒンジ装置にあっては、上記第２の実施の形態と同様の作用効果を有し、可動側部材２を円滑にかつ確実に開閉することができるとともに、部品点数を削減できる。
【００１０】
さらに、図８は本発明の第４の実施の形態を示す正面図、図９は図８の断面図、図１０は図９のＸ−Ｘ線に沿った断面図である。この実施の形態においては、上記第２、第３の実施の形態の圧縮バネ２１の代わりに、略Ｕ字状のバネ部材（付勢手段）３０を支持部材２０の深溝２０２内に装着し、軸部２０１の先端側において深溝２０２を固定部材２０４によって閉塞したものである。
このように構成されたヒンジ装置において、上記第２、第３の実施の形態と同様に、可動側部材２を固定側部材１に対して開閉させると、それにともないカム２２がその軸線まわりに回転し、バネ部材３０をその両端部が互いに離れる方向に弾性変形させて、それまでカム２２のカム溝２２１にはまりこんでいたバネ部材３０の両端部をカム溝２２１から押し出す。この結果、カム２２のカム溝２２１とバネ部材３０の両端部との係合状態が解除されるから、上記カム２２は、該カム２２の両カム面２２０を押圧する上記バネ部材３０の付勢力に抗しながら円滑に回転する。そして、カム２２が１８０度回転すると、バネ部材３０の両端部が再度カム２２のカム溝２２１にはまり込んで、カム２２とバネ部材３０とが係合される。これにより、可動側部材２が円滑にかつ確実に開閉操作される。
【００１１】
【発明の効果】
本発明は、一対のカムが、互いの軸線を一致させて、相対回転可能にかつ互いに接近、離間可能に設けられ、これらのカムのカム面が互いに密接するように付勢されてなり、両カムが相対的に回転することにより、上記両カムがそれらの軸線に沿って相対的に移動して、両カム相互の角度関係を変更するヒンジ装置であって、上記両カムのうち一方のカムが付勢手段から構成され、この付勢手段が他方のカムのカム面に押し付けられたものであるから、付勢手段を、その付勢力によって他方のカムのカム面に押し付けることにより、付勢手段と他方のカムが相対的に回転した場合に、付勢手段と他方のカムを、それらの軸線に沿って相対的に移動することができて、相互の角度関係を円滑にかつ確実に変更することができる。したがって、付勢手段を一方のカムとして兼用することにより、部品点数を削減することができ、かつ容易に組み付けることができるとともに、構造を簡素化することができる。
そして、本発明の請求項１は、付勢手段の基端部が支持部材に支持され、この付勢手段の先端が、上記支持部材に対向する他方のカムを貫通して、このカムのカム面に係合されているものであるから、他方のカムを付勢手段の先端と基端部の間に挟持して、この付勢手段の付勢力によって、付勢手段の先端を他方のカムのカム面に押し付けることにより、付勢手段の先端と他方のカムが相対的に回転した場合に、付勢手段の先端を、他方のカムのカム面にしたがって、それらの軸線に沿って移動させることができて、相互の角度関係を容易に変更することができる。
また、本発明の請求項２は、付勢手段が支持部材の軸部に設けられ、この付勢手段の先端が、上記支持部材に対向する他方のカムのカム面に押し付けられたものであるから、支持部材の軸部に設けられた付勢手段の先端を他方のカムのカム面に押し付けることにより、付勢手段の先端と他方のカムが相対的に回転した場合に、付勢手段の先端を、他方のカムのカム面にしたがって、それらの軸線に沿って移動させることができて、相互の角度関係を円滑に変更することができる。
本発明の請求項３は、付勢手段が支持部材の軸部の内部に設けられ、この付勢手段が、上記支持部材に対向する他方のカムのカム面に押し付けられたものであるから、支持部材の軸部の内部に設けられた付勢手段を他方のカムのカム面に押し付けることにより、付勢手段と他方のカムが相対的に回転した場合に、付勢手段を、他方のカムのカム面にしたがって、それらの軸線に沿って移動させることができて、相互の角度関係を確実に変更することができる。
【図面の簡単な説明】
【図１】  本発明の第１の実施の形態を示す断面図である。
【図２】  図１の右側面図である。
【図３】  図１の左側面図である。
【図４】  図１のＩＶ−ＩＶ線に沿った断面図である。
【図５】  本発明の第２の実施の形態を示す正面図である。
【図６】  図５のＶＩ−ＶＩ線に沿った断面図である。
【図７】  本発明の第３の実施の形態を示す正面図である。
【図８】  本発明の第４の実施の形態を示す正面図である。
【図９】  図８の断面図である。
【図１０】  図９のＸ−Ｘ線に沿った断面図である。
【符号の説明】
１０、３０  バネ部材（付勢手段）
１１、２０  支持部材
１３、２２  カム
２１  圧縮バネ（付勢手段）
１００  基端部
１０１  先端
１３１  表面（カム面）
２０１  軸部
２１０  先端直線部
２２０  端面（カム面）
【図１】
0004138947.tif 000002
【図２】
0004138947.tif 000003
【図３】
0004138947.tif 000004
【図４】
0004138947.tif 000005
【図５】
0004138947.tif 000006
【図６】
0004138947.tif 000007
【図７】
0004138947.tif 000008
【図８】
0004138947.tif 000009
【図９】
0004138947.tif 000010
【図１０】
0004138947.tif 000011